(57)【特許請求の範囲】
【請求項１】
傾斜して設けられたシート積載手段に積載されたシート束からシートを１枚ずつ分離して給紙する給紙装置において、
給紙手段と該給紙手段に圧接した分離部材とを備え、前記シートを１枚ずつ分離して給紙する分離給紙手段と、
前記給紙手段と分離部材とのニップ部の上流に設けられ、自重により前記ニップ部に進入しようとするシート束の先端位置を規制する突き当て部材と、
前記分離給紙手段による給紙動作開始の際、前記シート束のシートを１枚ずつ前記ニップ部に進入させるように前記突き当て部材を給紙方向に対して垂直方向に低速で移動させる移動手段と、
を備え、
前記移動手段は、前記突き当て部材を給紙動作に連動して移動させることを特徴とする給紙装置。
【請求項２】
前記移動手段は、給紙動作に連動して回転する回転体と、該回転体の回転を前記突き当て部材に伝達し、該突き当て部材を給紙方向に対して垂直方向に低速で移動させる伝達機構とを有することを特徴とする請求項１記載の給紙装置。
【請求項３】
前記突き当て部材は、シート搬送路を形成する上側ガイドフレームに形成した開口部から前記シート搬送路へ突出可能に回動及びスライド移動可能に設けられ、前記伝達機構は、前記回転体の回転に伴って回転するネジ部と、前記突き当て部材に設けられ、前記ネジ部と係合する係合部とを有し、前記ネジ部の回転により係合部を介して前記突き当て部材がスライド移動して前記開口部の縁部に当接して前記垂直方向に回転移動することを特徴とする請求項２記載の給紙装置。
【請求項４】
傾斜して設けられたシート積載手段に積載されたシート束からシートを１枚ずつ分離して給紙する給紙装置において、
給紙手段と該給紙手段に圧接した分離部材とを備え、前記シートを１枚ずつ分離して給紙する分離給紙手段と、
前記給紙手段と分離部材とのニップ部の上流に回動可能に設けられ、シート束の先端位置を規制する突き当て部材と、
自重により前記ニップ部に進入しようとするシート束に押圧されて前記シート束のシートを１枚ずつ前記ニップ部に進入させるように前記突き当て部材を給紙方向に対して垂直方向に低速で回動させる回動手段と、
を備え、
前記回動手段は、回動軸を介して前記突き当て部材を回動可能に保持する保持部材と、前記突き当て部材を前記保持部材に付勢する付勢手段と、給紙方向に対して垂直方向への前記突き当て部材の回動に伴い前記付勢手段による付勢力を増加させるよう作用するカム機構を有していることを特徴とする給紙装置。
【請求項５】
画像形成部と、給紙装置とを備えた画像形成装置において、
前記給紙装置は、前記請求項１乃至４のいずれかに記載のものであることを特徴とする画像形成装置。
【発明の詳細な説明】
【０００１】
【発明の属する技術分野】
本発明は、給紙装置及びこれを備えた画像形成装置に関し、特にシート積載手段に積載されたシート束からシートを１枚ずつ分離して給紙する給紙装置の分離給紙部の構成に関するものである。
【０００２】
【従来の技術】
従来、ファクシミリやプリンタ等の画像形成装置においては、シート積載手段に積載されたシート束からシートを１枚ずつ分離して給紙する給紙装置を備えている。そして、このような給紙装置としては、例えば分離ローラと、分離ローラに圧接した分離パッドとのニップ部に自重によりシート束を進入させると共に、分離パッドによりシートを１枚ずつ分離して給紙するように構成された分離給紙手段を備えている。
【０００３】
ところで、このような構成の分離給紙手段を備えた給紙装置における給紙は、シート束の積み方等によって大きく分離性能が変化するため、給紙の安定性という面で不十分であった。
【０００４】
以下、その主な理由を述べる。
【０００５】
従来は、既述したようにシート束のシートを一枚ずつ分離するため、図１１に示すように、分離ローラ５１に分離パッド５２を圧接させるようにしてきたが、これは同図に示すようにシート束Ｓのシートが少しずつずれた状態でセットされた時にその分離性能を最大限に発揮できる構成であり、例えば図１２に示すようにシート束Ｓのシートが重なった状態でセットされた場合にはシートを一枚ずつ確実に分離することができない。
【０００６】
なお、これは図１３に示すように数枚のシートＳ１，Ｓ２，Ｓ３が同時に分離ローラ５１と分離パッド５２との間のニップＮに入り込んだ場合、その一番上のシートＳ１が、分離パッド５２によって引き止められるのはまず間違いないが、その他のシートＳ２，Ｓ３が一緒に給紙されてしまう可能性、即ち重送を引き起こす可能性があるということを意味する。
【０００７】
なおこれは、一番上のシートＳ１と二番目のシートＳ２の間の摩擦係数が、二番目のシートＳ２と本来給紙されるべき最下位のシートＳ３の間の摩擦係数より小さかった場合、最下位のシートＳ３により二番目のシートＳ２が引張られる摩擦力が、一番上のシートＳ３が二番目のシートＳ２を引き止めようとする摩擦力を上回ってしまうからである。
【０００８】
そこで従来は、このような重送を防ぐために、例えば図１４に示すように突き当て壁５３を設け、ニップＮに一度にシートが入り込まないよう、この突き当て壁５３に、ニップＮの上流でシート束Ｓの下端（先端）が突き当るようにしている。ここで、この突き当て壁５３は、コロ５４の回転に伴い実線で示すシート束Ｓの下端に突き当る第１の位置から、ニップＮへのシートの進入が可能となる破線で示す第２に位置に移動するようになっている。
【０００９】
なお、同図において、５３ａは突き当て壁５３に設けられた係止部、５４ａはコロ５４に設けられたカム、５５は搬送ローラであり、コロ５４はこの搬送ローラ５５に圧接すると共に、搬送ローラ５５の回転により矢印ａ方向に回転するようになっている。
【００１０】
そして、給紙の際、搬送ローラ５５の回転によりコロ５４が矢印ａ方向に回転すると、このコロ５４のカム５４ａが突き当て壁５３の係止部５３ａを押圧し、これにより突き当て壁５３は回動軸５３ｂを支点として矢印ｂ方向に回動し、第２の位置に移動するようになっている。
【００１１】
なお、このコロ５４は、一度突き当て壁５３を第２の位置に移動させる位置まで回転すると、以後はスリップするようになっており、これにより給紙動作が行われている間、突き当て壁５３は第２の位置に保持される。
【００１２】
一方、このコロ５４は、どういう位相で止まっているかが予測出来ないため、最後のシートが排紙された後、搬送ローラ５５を数秒反転させ、ホームポジションに戻すようにしている。そして、このようにコロ５４をホームポジションに戻すことにより、突き当て壁５３は自重、又は不図示の付勢手段により第１の位置に戻るようになっている。
【００１３】
【発明が解決しようとする課題】
ところが、このような突き当て壁５３を備えた従来の給紙装置において、コロ５４（搬送ローラ５５）の回転速度が速く、このため突き当て壁５３が搬送開始と同時に短時間で第２の位置に移動するようになり、シートが束になった状態でニップＮに入ってしまう可能性がある。
【００１４】
なお、このシートの束になった状態の進入は、シートが分離パッド５２の押付け力（分離圧）を刳（こ）ってしまうことで引き起こされることもある。この場合、シートの束になった状態の進入を防ぐためには積載されるシートの重量（枚数）を小さくすればよいが、これはオフィスなどで近年ネットワーク化が進む中、画像形成装置が多種多様な紙を多量に画像形成する必要性が高まっていることを考えると困難である。
【００１５】
そこで、本発明は、このような現状に鑑みてなされたものであり、シートを確実に１枚ずつ分離して給紙することのできる給紙装置及びこれを備えた画像形成装置を提供することを目的とするものである。
【００１６】
【課題を解決するための手段】
本発明は、傾斜して設けられたシート積載手段に積載されたシート束からシートを１枚ずつ分離して給紙する給紙装置において、給紙手段と該給紙手段に圧接した分離部材とを備え、前記シートを１枚ずつ分離して給紙する分離給紙手段と、前記給紙手段と分離部材とのニップ部の上流に設けられ、自重により前記ニップ部に進入しようとするシート束の先端位置を規制する突き当て部材と、前記分離給紙手段による給紙動作開始の際、前記シート束のシートを１枚ずつ前記ニップ部に進入させるように前記突き当て部材を給紙方向に対して垂直方向に低速で移動させる移動手段と、を備え、前記移動手段は、前記突き当て部材を給紙動作に連動して移動させることを特徴とするものである。
【００１８】
また本発明は、前記移動手段は、給紙動作に連動して回転する回転体と、該回転体の回転を前記突き当て部材に伝達し、該突き当て部材を給紙方向に対して垂直方向に低速で移動させる伝達機構とを有することを特徴とするものである。
【００１９】
また本発明は、前記突き当て部材は、シート搬送路を形成する上側ガイドフレームに形成した開口部から前記シート搬送路へ突出可能に回動及びスライド移動可能に設けられ、前記伝達機構は、前記回転体の回転に伴って回転するネジ部と、前記突き当て部材に設けられ、前記ネジ部と係合する係合部とを有し、前記ネジ部の回転により係合部を介して前記突き当て部材がスライド移動して前記開口部の縁部に当接して前記垂直方向に回転移動することを特徴とするものである。
【００２０】
また本発明は、傾斜して設けられたシート積載手段に積載されたシート束からシートを１枚ずつ分離して給紙する給紙装置において、給紙手段と該給紙手段に圧接した分離部材とを備え、前記シートを１枚ずつ分離して給紙する分離給紙手段と、前記給紙手段と分離部材とのニップ部の上流に回動可能に設けられ、シート束の先端位置を規制する突き当て部材と、自重により前記ニップ部に進入しようとするシート束に押圧されて前記シート束のシートを１枚ずつ前記ニップ部に進入させるように前記突き当て部材を給紙方向に対して垂直方向に低速で回動させる回動手段と、を備え、前記回動手段は、回動軸を介して前記突き当て部材を回動可能に保持する保持部材と、前記突き当て部材を前記保持部材に付勢する付勢手段と、給紙方向に対して垂直方向への前記突き当て部材の回動に伴い前記付勢手段による付勢力を増加させるよう作用するカム機構を有していることを特徴とするものである。
【００２４】
また本発明は、画像形成部と、給紙装置とを備えた画像形成装置において、前記給紙装置は、上記発明のいずれかのものであることを特徴とするものである。
【００２５】
また本発明のように、給紙手段と給紙手段に圧接した分離部材とを備えた分離給紙手段により、シート積載手段に積載されたシート束からシートを１枚ずつ分離して給紙する。また、給紙手段と分離部材とのニップ部の上流に突き当て部材を設け、この突き当て部材により自重によってニップ部に進入しようとするシート束の先端位置を規制すると共に、給紙動作開始の際、この突き当て部材を給紙方向に対して垂直方向に低速で移動させることにより、シート束のシートを１枚ずつニップ部に進入させるようにする。
【００２６】
【発明の実施の形態】
以下、本発明の実施の形態について図面を用いて説明する。
【００２７】
図１は、本発明の第１の実施の形態に係る給紙装置を備えた画像形成装置の構成を示す図である。
【００２８】
同図において、１００は画像形成装置の一例であるマルチファンクションプリンタであり、このマルチファンクションプリンタ１００は、記録紙等のシートに画像を記録形成する画像形成部１、原稿等のシートの画像を読み取る画像読取部２、ファックス操作やコピー操作等を行う操作パネル部３等により構成されている。
【００２９】
また同図において、４は給送トレイであり、複数枚のシートＰが積載可能となっている。５は給送ユニットであり、給送ローラ６等により給送トレイ４上に積載されたシートＰを１枚ずつ分離給送する。７はプロセスカートリッジであり、感光体ドラム１１とこれに作用するプロセス手段（帯電手段、現像手段、クリーニング手段等）を一体的に備え、装置本体に対して着脱可能となっている。
【００３０】
８は転写ローラであり、これと対向する感光体ドラム１１との間を通過するシートに対して感光体ドラム１１上に形成されたトナー像を転写する。９は定着ユニットであり、トナー像が転写されたシートに対して該トナー像を半永久的に定着する。
【００３１】
１０はレーザスキャナユニットであり、画像読取部２にて読み取った画像情報或いは他機から送られてきた画像情報であるレーザ光を感光体ドラム１１に照射して潜像を形成する。１０１はシート排出部である。
【００３２】
そして、このように構成された画像形成部１において、プリント命令を受けると、給送トレイ４に積載されたシートＰは、給送ローラ６によって１枚ずつ分離給送され、プロセスカートリッジ７内の感光体ドラム１１とこれと対向する転写ローラ８の間（ニップ）に送られる。なお、プリント命令は、例えば、不図示のパソコン等から画像情報を送られたり、ファクシミリとして電話回線を通じて画像情報を受けたりした時等に発生する。
【００３３】
この後、このプリント命令と共にレーザスキャナユニット１０から前記画像情報をピットイメージにしたもの（レーザ光）を感光体ドラム１１上に照射し、そのピットイメージに従って感光体ドラム１１上にトナー画像が形成される。さらに、この感光体ドラム１１上に形成されたトナー画像は、該感光体ドラム１１と転写ローラ８のニップでシートＰに転写される。
【００３４】
そして、トナー画像が転写されたシートＰは定着ユニット９に送られ、該定着ユニット９にて加熱・加圧されて前記トナー画像が半永久的に定着される。なお、画像定着がなされたシートＰは、シート反転ガイド１２を介してシート排出部１０１に送られる。
【００３５】
一方、同図において、１４は画像を読み取るための原稿Ｄを積載する傾斜して設けられたシート積載手段である原稿トレイ、１６は原稿トレイ１４上にセットされた原稿Ｄを読み取るイメージセンサ、１８は原稿トレイ１４上にセットされた原稿Ｄをイメージセンサ１６に１枚ずつ分離して給紙するための分離給紙部である。
【００３６】
そして、このように構成された画像読取部２においては、原稿トレイ１４上にセットされた原稿Ｄを分離給紙部１８により１枚ずつ分離してイメージセンサ１６に給紙し、イメージセンサ１６で読み取られた原稿Ｄはマルチファンクションプリンタ１００の前方に排出するようにしている。
【００３７】
ところで、この分離給紙部１８は、図２に示すように給紙手段である分離ローラ２０と、この分離ローラ２０に圧接する分離部材である分離パッド２２とを備えており、分離ローラ１８が回転して分離パッド２２との間で原稿Ｄを１枚ずつ分離してイメージセンサ１６に送り出すようになっている。なお、同図において、２４、２５はシート搬送路Ｒを形成している上側及び下側ガイドフレームである。
【００３８】
一方、同図において、３０は分離ローラ２０と分離パッド２２のニップ部Ｎの上流に設けられた突き当て部材である突き当て壁であり、この突き当て壁３０は、自重によりニップ部Ｎに進入しようとする原稿束ＤＡの先端位置を規制すると共に、給紙動作開始の際、原稿束ＤＡの原稿Ｄを１枚ずつニップ部Ｎに進入させるよう（ａ）、（ｂ）及び（ｃ）に示すように給紙方向に対して垂直方向に低速で徐々に移動するようになっている。
【００３９】
そして、このように突き当て壁３０を給紙方向に対して垂直方向に低速で徐々に移動させることにより、原稿トレイ１４上にセットされた原稿束ＤＡを給紙に理想的なクサビ形状とすることができる。
【００４０】
なお、図３は、この突き当て壁３０を移動させる移動手段の構成を示す図であり、同図において、３１は搬送ローラ３２（図１参照）に圧接し、搬送ローラ３２の回転により回転する回転体である搬送コロ、３１ａは搬送コロ３１の同軸上端部に設けられたネジ部、３０ａは突き当て壁３０に一体的に形成され、ねじ部３１ａと共に搬送コロ３１の回転を突き当て壁３０に伝達する伝達機構を構成する係合部である。そして、搬送コロ３１が正転すると、その同軸上端部に設けられたネジ部３１ａにより突き当て壁３０の係合部３０ａが矢印（１−ａ）方向に引張られるようになっている。
【００４１】
一方、突き当て壁３０は、図４に示すように上側ガイドフレーム２４に形成された開口部２４ａからシート搬送路Ｒに突出している。また、突き当て壁３０の係合部３０ａは、同図に示すように上側ガイドフレーム２４の上方に位置し、搬送コロ３１の正転に伴い同図に示す矢印（１−ａ）方向に移動するようになっている。
【００４２】
そして、このように構成することにより、係合部３０ａが搬送コロ３１の正転に伴い同図に示す矢印（１−ａ）方向に移動すると、同図に示すように不図示のねじりコイルバネによって矢印（１−ｂ）方向に力を受けている突き当て壁３０が、開口部２４ａの縁部に当接し、低速で徐々に給紙方向に対して垂直方向である上方に移動するようになっている。
【００４３】
なお、このように構成した場合、給紙期間中は搬送コロ３１（搬送ローラ３２）は回転しているので、常に突き当て壁３０は上方移動した位置に保持されるようになり、原稿Ｄを傷める心配は無い。また、給紙動作が終了すると、搬送ローラ３２が所定時間反転し、これにより突き当て壁３０はねじりコイルバネによって速やかにホームポジション（図２の（ａ）参照）ヘ戻る。
【００４４】
このように、分離ローラ２０と分離パッド２２のニップ部Ｎの上流に突き当て壁３０を設け、この突き当て壁３０により自重によってニップ部Ｎに進入しようとする原稿束ＤＡの先端位置を規制すると共に、給紙動作開始の際、この突き当て壁３０を給紙方向に対して垂直方向に低速で徐々に移動させることにより、原稿束ＤＡを給紙にとって理想的なクサビ形状とすることができ、原稿Ｄを１枚ずつニップ部Ｎに進入させることができる。
【００４５】
次に、本発明の第２の実施の形態について説明する。
【００４６】
図５は、本発明の第２の実施の形態に係る給紙装置の分離給紙動作を説明する図である。なお、同図において、図２と同一符号は同一又は相当部分を示している。
【００４７】
同図において、３５は突き当て部材である突き当て壁であり、この突き当て壁３５は（ａ）に示すように分離ローラ２０と分離パッド２２とのニップ部Ｎの上流側に回動軸３５ａを支点として回動可能に設けられると共に、自重によりニップ部Ｎに進入しようとする原稿束ＤＡに押圧されて原稿束ＤＡの原稿Ｄを１枚ずつニップ部Ｎに進入させるよう（ｂ）及び（ｃ）に示すように低速で徐々に給紙方向に対して垂直方向に回動するものである。
【００４８】
そして、このように突き当て壁３５を給紙方向に対して垂直方向に低速で徐々に回動させることにより、原稿トレイ１４上にセットされた原稿束ＤＡを給紙に理想的なクサビ形状とすることができる。
【００４９】
ところで、この突き当て壁３５は保持部材である上側ガイドフレーム２４に回動軸３５ａを介して回動可能に保持される一方、この突き当て壁３５の側面には図６の（ａ）に示すように凹部３６が形成されており、この突き当て壁３５の凹部３６には、（ｂ）に示すような下方に行くにしたがって浅くなるカム面３６ａが形成されている。
【００５０】
また、上側ガイドフレーム２４には図７に示すように突き当て壁３５の凹部３６に係止され、カム面３６ａと共にカム機構を構成する凸部２４ｂが設けられている。そして、この凸部２４ｂは突き当て壁３５に原稿束ＤＡが当接していない状態のとき（図５の（ａ）参照）、同図に示すように突き当て壁３５の凹部３６の最も深い部分に圧接するようになっている。
【００５１】
一方、突き当て壁３５は、カム機構と共に突き当て壁３５を回動させる回動手段を構成する付勢手段である同図に示す圧縮バネ３８により上側ガイドフレーム側に押圧されている。なお、この圧縮バネ３８のバネ力は、原稿束ＤＡに押圧された際、突き当て壁３５が低速で徐々に給紙方向に対して垂直方向に回動することができる大きさとなっている。
【００５２】
そして、このように構成することにより、突き当て壁３５が、原稿束ＤＡに押圧され、図５の（ａ）の状態から（ｂ）に示すように給紙方向に対して垂直方向に回動しようとすると、上側ガイドフレーム２４の凸部２４ｂは突き当て壁３５の凹部３６のカム面３６ａの最も深い部分から浅い部分に圧接するようになり、これに伴い突き当て壁３５は、上側ガイドフレーム２４から離れる方向に移動する。
【００５３】
ここで、このように突き当て壁３５が移動すると、突き当て壁３５に加わる圧縮バネ３８のバネ力が大きくなり、これにより突き当て壁３５が強く上側ガイドフレーム２４に押圧されるようになる。そして、このように突き当て壁３５が強く上側ガイドフレーム２４に押圧されると、突き当て壁３５の回動速度が遅くなり、その結果は突き当て壁３５は低速で徐々に回動するようになる。
【００５４】
なお、本実施の形態において、突き当て壁３５は給紙期間中、原稿束ＤＡの自重に応じた位置に回動しているので原稿Ｄを傷める心配は無い。また、給紙動作が終了すると、突き当て壁３５は圧縮バネ３８により速やかにホームポジション（図５の（ａ）参照）ヘ戻る。
【００５５】
このように、分離ローラ２０と分離パッド２２のニップ部Ｎの上流に突き当て壁３５を回動可能に設け、給紙動作開始の際、この突き当て壁３０を原稿束ＤＡの自重により給紙方向に対して垂直方向に低速で徐々に回動させることにより、原稿束ＤＡを給紙にとって理想的なクサビ形状とすることができ、原稿Ｄを１枚ずつニップ部Ｎに進入させることができる。
【００５６】
なお、凹部３６に範囲を持たせることで突き当て壁３５の可動範囲も規制することができる。また、本実施の形態のように構成すれば、突き当て壁３５をホームポジションに戻すための特別なモード（反転モード）は不要となる。
【００５７】
次に、本発明の第３の実施の形態について説明する。
【００５８】
図８は本発明の第３の実施の形態に係る給紙装置の分離給紙部の構成を示す図である。なお、同図において、図２と同一符号は同一又は相当部分を示している。
【００５９】
同図において、４０は自重によりニップ部Ｎに進入しようとする原稿束ＤＡに当接する突き当て手段である突き当て壁であり、この突き当て壁４０は断面形状が三角形の固定リブにより構成されたものである。また、この突き当て壁４０は、図９に示すように分離ローラ２０（及び分離パッド２２のニップ部）の両側に配されている。
【００６０】
そして、このような突き当て壁４０を分離ローラ２０の両側に配すると共に、自重によりニップ部Ｎに進入しようとする原稿束ＤＡに当接させることにより、この突き当て壁４０に大部分の原稿束ＤＡの重量を負わせることができ、実際に原稿Ｄを分離するニップ部Ｎに対して負担を掛ける原稿Ｄの枚数（重量）を減らすことができる。即ち、ニップ部Ｎに進入する原稿Ｄの枚数を制限することができる。
【００６１】
これにより、原稿束ＤＡがニップ部Ｎに入ってしまう可能性も減らことができ、結果的に原稿トレイ１４上にセットされた原稿束ＤＡを給紙にとって理想的なクサビ形状とすることができる。さらに、このように突き当て壁４０を固定リブにより構成することにより、可動式の突き当て壁を使用する場合に比べて構造が簡単となるばかりでなくコストを低減することもできる。
【００６２】
なお、本実施の形態においては、図９に示すように、この突き当て壁４０の外側にもう一対の他の固定突き当て壁４０Ａを設けている。ここで、この他の固定突き当て壁４０Ａは、図１０に示すように、断面形状は突き当て壁４０をひとまわり大きくしたような形状を有したものである。なお、同図においては、分離ローラ２０とオーバーラップしてしまっているが、それぞれの位置において原稿Ｄが通過するスペースが確保されるように配されている。
【００６３】
そして、このような他の固定突き当て壁４０Ａを設けることにより、より確実に先に述べた効果を得られる上、爪分離に近い分離効果も期待できる。
【００６４】
なお、これまでの説明においては、各実施の形態に係る分離給紙部を、マルチファンクションプリンタ１００の画像読取部２に適用した場合について述べてきたが、本発明はこれに限らず、画像形成部１に適用することができるのは言うまでもない。
【００６５】
【発明の効果】
以上説明したように本発明によれば、給紙手段と分離部材とのニップ部の上流に設けた突き当て部材により、シート束を給紙にとって理想的なクサビ形状とすることにより、シートを確実に１枚ずつ分離して給紙することができる。
【図面の簡単な説明】
【図１】本発明の第１の実施の形態に係る給紙装置を備えた画像形成装置の構成を示す図。
【図２】上記給紙装置の分離給紙部の構成及び分離給紙部の設けられた突き当て壁の移動と原稿束の移動を説明する図。
【図３】上記突き当て壁を移動させる移動手段の構成を示す図。
【図４】図３のＢ−Ｂ断面図。
【図５】本発明の第２の実施の形態に係る給紙装置の分離給紙動作を説明する図。
【図６】上記給紙装置に設けられた突き当て壁の、（ａ）は正面図、（ｂ）は側面図。
【図７】上記突き当て壁を回動させる回動手段の構成を示す図。
【図８】本発明の第３の実施の形態に係る給紙装置の分離給紙部の構成を示す図。
【図９】上記給紙装置の突き当て壁の位置を説明する要部上面図。
【図１０】上記給紙装置の他の突き当て壁を説明する側面図。
【図１１】従来の給紙装置の分離給紙部の構成を示す図。
【図１２】上記従来の給紙装置の重送を引き起こす可能性のある状態を示した側面図。
【図１３】図１２の要部拡大図。
【図１４】従来の他の給紙装置の分離給紙部の構成を示す図。
【符号の説明】
１            画像形成部
２            画像読取部
１４          原稿トレイ
１８          分離給紙部
２０，５１    分離ローラ
２２，５２    分離パッド
２４          上側ガイドフレーム
３０          突き当て壁
３０ａ        係合部
３１          搬送コロ
３１ａ        ネジ部
３５          突き当て壁
３６          凹部
３６ａ        カム面
２４ｂ        凸部
３８          圧縮バネ
４０          突き当て壁
４０Ａ        他の固定突き当て壁
１００        マルチファンクションプリンタ
Ｓ            シート束
Ｄ            原稿
ＤＡ          原稿束
【図１】
0004006127.tif 000002
【図２】
0004006127.tif 000003
【図３】
0004006127.tif 000004
【図４】
0004006127.tif 000005
【図５】
0004006127.tif 000006
【図６】
0004006127.tif 000007
【図７】
0004006127.tif 000008
【図８】
0004006127.tif 000009
【図９】
0004006127.tif 000010
【図１０】
0004006127.tif 000011
【図１１】
0004006127.tif 000012
【図１２】
0004006127.tif 000013
【図１３】
0004006127.tif 000014
【図１４】
0004006127.tif 000015